(57)【要約】【課題】電池に組込まれたリードのダメージ対策の有無に拘らず、電池内でのリードのダメージを抑制できるようにすることを目的とする。【解決手段】電池内蔵装置１０は、発電要素３２と、発電要素３２を収容するフィルム容器３４とを含む電池３０と、電池３０を収容可能な電池収容空間を有するケース２０と、弾性変形可能に構成され、発電要素３２の第１面３２ａを、フィルム容器３４を介して押し込み可能に支持すると共に、その支持を、その押し込み方向とは反対方向の力が前記フィルム容器３４に作用することを抑制した状態で行う第１押し込み部材４０とを備える。【選択図】図５
2014154508.tif 000002
【特許請求の範囲】
【請求項１】
発電要素と、前記発電要素を収容するフィルム容器とを含む電池と、
前記電池を収容可能な電池収容空間を有するケースと、
弾性変形可能に構成され、前記発電要素の第１面を、前記フィルム容器を介して押し込み可能に支持すると共に、その支持を、その押し込み方向とは反対方向の力が前記フィルム容器に作用することを抑制した状態で行う第１押し込み部材と、
を備える電池内蔵装置。
【請求項２】
請求項１記載の電池内蔵装置であって、
前記第１押し込み部材は、前記フィルム容器のうち前記第１面と面接触可能な部分を介して前記第１面を押え込む、電池内蔵装置。
【請求項３】
請求項１又は請求項２記載の電池内蔵装置であって、
前記電池は、前記発電要素の前記第１面から引出されて、前記フィルム容器のうち前記第１面に対向するフィルム同士の重ね合せ部分を通って外部に引出されたリードをさらに備え、
前記第１押し込み部材は、前記フィルム容器のうち前記第１面と対向する部分であって前記フィルム同士の重ね合せ部分を除く部分を介して前記第１面を押え込む、電池内蔵装置。
【請求項４】
請求項１〜請求項３のいずれか一つに記載の電池内蔵装置であって、
前記第１押し込み部材は、
前記発電要素の第１面を、前記フィルム容器を介して押え込む押し込み端部と、前記ケース側の受部に、前記押え込む力を受けるように配設された支持端部とを含み、それらの間で撓み変形可能な部材である、電池内蔵装置。
【請求項５】
請求項４記載の電池内蔵装置であって、
前記第１押し込み部材は、プレート状部材である、電池内蔵装置。
【請求項６】
請求項４又は５記載の電池内蔵装置であって、
前記支持端部は、前記受部に対して離間可能な状態で当接している、電池内蔵装置。
【請求項７】
請求項１〜請求項６のいずれか１つに記載の電池内蔵装置であって、
弾性変形可能に構成され、前記発電要素の第１面と反対側の第２面を、前記フィルム容器を介して押し込み可能に支持すると共に、その支持を、その押し込み方向とは反対方向の力が前記フィルム容器に作用することを抑制した状態で行う第２押し込み部材をさらに備える電池内蔵装置。
【請求項８】
請求項７記載の電池内蔵装置であって、
前記第２押し込み部材は、ゴム部材である、電池内蔵装置。
【請求項９】
請求項１〜請求項８のいずれか１つに記載の電池内蔵装置であって、
弾性変形可能に構成されると共に、前記電池に対して前記第１押し込み部材による押し込み方向に対して直交する両側方に突出し、かつ、前記電池の側方受部に当接可能なように、前記電池に取付けられた側方支持部材をさらに備える、電池内蔵装置。
【発明の詳細な説明】
【技術分野】
【０００１】
この発明は、携帯型の端末装置等に電池を内蔵する技術に関する。
【背景技術】
【０００２】
携帯型の端末装置に内蔵される電池として、フィルム容器内に発電要素を収容した構成のものがある。この電池では、発電要素に取付けられたリードは、フィルム容器におけるフィルム同士の接合部分間を通って外方に引出される。
【０００３】
上記のような電池では、フィルム容器内で振動・衝撃によって発電要素が動いてしまう。そして、フィルム容器内で発電要素が動いてしまうと、リードのうちフィルム同士の接合部分で固定された箇所と発電要素に取付けられた箇所との間の部分に、当該リードを曲げる力と直線状に引き延す力とが、交互に繰返し作用してしまう。そうすると、リードが破断してしまう恐れがある。
【０００４】
そこで、特許文献１及び２は、フィルム容器と発電要素との間の空間に、樹脂を充填する技術を開示している。
【先行技術文献】
【特許文献】
【０００５】
【特許文献１】特開２００３−１０９５５７号公報
【特許文献２】特開２０１２−２３４６７０号公報
【発明の概要】
【発明が解決しようとする課題】
【０００６】
しかしながら、特許文献１及び２に開示の技術は、電池に対して、リードのダメージ対策として予め組込まれている必要がある。
【０００７】
そこで、本発明は、電池に組込まれたリードのダメージ対策の有無に拘らず、電池内でのリードのダメージを抑制できるようにすることを目的とする。
【課題を解決するための手段】
【０００８】
上記課題を解決するため、第１の態様に係る電池内蔵装置は、発電要素と、前記発電要素を収容するフィルム容器とを含む電池と、前記電池を収容可能な電池収容空間を有するケースと、弾性変形可能に構成され、前記発電要素の第１面を、前記フィルム容器を介して押し込み可能に支持すると共に、その支持を、その押し込み方向とは反対方向の力が前記フィルム容器に作用することを抑制した状態で行う第１押し込み部材と、を備える。
【０００９】
第２の態様は、第１の態様に係る電池内蔵装置であって、前記第１押し込み部材は、前記フィルム容器のうち前記第１面と面接触可能な部分を介して前記第１面を押え込む。
【００１０】
第３の態様は、第１又は第２の態様に係る電池内蔵装置であって、前記電池は、前記発電要素の前記第１面から引出されて、前記フィルム容器のうち前記第１面に対向するフィルム同士の重ね合せ部分を通って外部に引出されたリードをさらに備え、前記第１押し込み部材は、前記フィルム容器のうち前記第１面と対向する部分であって前記フィルム同士の重ね合せ部分を除く部分を介して前記第１面を押え込む。
【００１１】
第４の態様は、第１〜第３のいずれか一つの態様に係る電池内蔵装置であって、前記第１押し込み部材は、前記発電要素の第１面を、前記フィルム容器を介して押え込む押し込み端部と、前記ケース側の受部に、前記押え込む力を受けるように配設された支持端部とを含み、それらの間で撓み変形可能な部材とされている。
【００１２】
第５の態様は、第４の態様に係る電池内蔵装置であって、前記第１押し込み部材は、プレート状部材とされている。
【００１３】
第６の態様は、第４又は第５の態様に係る電池内蔵装置であって、前記支持端部は、前記受部に対して離間可能な状態で当接している。
【００１４】
第７の態様は、第１〜第６のいずれか１つの態様に係る電池内蔵装置であって、弾性変形可能に構成され、前記発電要素の第１面と反対側の第２面を、前記フィルム容器を介して押し込み可能に支持すると共に、その支持を、その押し込み方向とは反対方向の力が前記フィルム容器に作用することを抑制した状態で行う第２押し込み部材をさらに備える。
【００１５】
第８の態様は、第７の態様に係る電池内蔵装置であって、前記第２押し込み部材は、ゴム部材とされている。
【００１６】
第９の態様は、第１〜第８のいずれか１つの態様に係る電池内蔵装置であって、弾性変形可能に構成されると共に、前記電池に対して前記第１押し込み部材による押し込み方向に対して直交する両側方に突出し、かつ、前記電池の側方受部に当接可能なように、前記電池に取付けられた側方支持部材をさらに備える。
【発明の効果】
【００１７】
第１の態様に係る電池内蔵装置によると、第１押し込み部材は、前記発電要素の第１面を、前記フィルム容器を介して押え込むため、電池に対して第１面側への力が作用すると、第１押し込み部材を弾性変形させつつ、発電要素はフィルム容器と共に第１面側に移動する。また、前記第１押し込み部材による押し込みは、その押し込み方向とは反対方向の力が前記フィルム容器に作用することを抑制した状態で行われるため、電池に対して第１面側とは反対側への力が作用した場合でも、第１押し込み部材はフィルム容器の位置を規制し難く、従って、電池はフィルム容器と共に移動し易い。このため、フィルム容器内で発電要素が動き難くなり、リードの曲げ等が抑制され、電池に組込まれたリードのダメージ対策の有無に拘らず、電池内でのリードのダメージを抑制できる。
【００１８】
第２の態様によると、前記第１押し込み部材は、前記フィルム容器のうち前記第１面と面接触可能な部分を介して前記第１面を押え込むため、電池に対して第１面側への力が作用した場合に、より確実に発電要素とフィルム容器とが一緒に動き、フィルム容器内での発電要素の動きがより確実に抑制される。
【００１９】
第３の態様によると、前記第１押し込み部材は、前記フィルム容器のうち前記第１面と対向する部分であって前記フィルム同士の重ね合せ部分を除く部分を介して前記第１面を押え込むため、電池に対して第１面側への力が作用した場合に、より確実に発電要素とフィルム容器とが一緒に動き、フィルム容器内での発電要素の動きがより確実に抑制される。
【００２０】
第４の態様によると、簡易な構成で発電要素を押え込むことができる。
【００２１】
第５の態様によると、簡易な構成で、安定して発電要素を押え込むことができる。
【００２２】
第６の態様によると、支持端部が受部から離間することで、押し込み方向とは反対方向の力が前記フィルム容器に作用することを抑制できる。
【００２３】
第７の態様によると、第２押し込み部材は、前記発電要素の第２面を、前記フィルム容器を介して押え込むため、電池に対して第２面側への力が作用すると、第２押し込み部材を弾性変形させつつ、電池はフィルム容器と共に第２面側に移動する。また、前記第２押し込み部材による押し込みは、その押し込み方向とは反対方向の力が前記フィルム容器に作用することを抑制した状態で行われるため、電池に対して第２面側とは反対側への力が作用した場合でも、第２押し込み部材はフィルム容器の位置を規制し難く、従って、電池はフィルム容器と共に移動し易い。このため、フィルム容器内で発電要素が動き難くなり、リードの曲げ等が抑制され、電池に組込まれたリードのダメージ対策の有無に拘らず、電池内でのリードのダメージを抑制できる。
【００２４】
第８の態様によると、第２面側で、簡易な構成で電池を支持することができる。
【００２５】
第９の態様によると、側方支持部材によって、電池の第１面側への移動を許容しつつ、電池の姿勢を安定化させることができ、また、電池の側方の衝撃を受止めることができる。
【図面の簡単な説明】
【００２６】
【図１】実施形態に係る電池内蔵装置を示す一部断面概略平面図である。
【図２】同上の電池内蔵装置を示す一部断面概略側面図である。
【図３】電池内蔵装置を示す一部断面概略正面図である。
【図４】図２の部分拡大図である。
【図５】電池内蔵装置に衝撃が加わった場合の動作を示す説明図である。
【図６】電池内蔵装置に衝撃が加わった場合の動作を示す説明図である。
【図７】電池内蔵装置に衝撃が加わった場合の動作を示す説明図である。
【発明を実施するための形態】
【００２７】
以下、実施形態に係る電池内蔵装置について説明する。図１は電池内蔵装置１０を示す一部断面概略平面図であり、図２は電池内蔵装置１０を示す一部断面概略側面図であり、図３は電池内蔵装置１０を示す一部断面概略正面図であり、図４は図２の部分拡大図である。
【００２８】
この電池内蔵装置１０は、外部機器との間で通信を行う端末装置等として用いられる。より具体的な例としては、本電池内蔵装置１０は、所定のＩＤを記憶した記憶装置と、通信回路等を内蔵している。そして、本電池内蔵装置１０と建物、荷物収容用ロッカー等の扉に設けられる認証装置との間で通信が行われると、前記ＩＤが認証装置に送信される。すると、認証装置が前記ＩＤに基づいて、建物、荷物収容用ロッカー等の入室又は利用権限の有無を判定する。ここで、権限有りと判定すると、前記扉のロックが解除され、利用者は前記扉を開くことができるようになる。本電池内蔵装置１０は、上記のような認証のための端末装置として用いることができる。もっとも、電池内蔵装置１０は、上記の他、電池を内蔵する各種装置に適用することが可能である。
【００２９】
この電池内蔵装置１０は、ケース２０と、電池３０と、第１押し込み部材４０と、基板１２とを備える。
【００３０】
電池３０は、発電要素３２と、フィルム容器３４とを備える。この電池３０は、例えば、ラミネート型リチウムイオン電池である。
【００３１】
発電要素３２は、負極板と正極板とが電解質を介して対向し合い、かつ、偏平な一定形状をなすように重ね合された構成とされている。布曲板と正極板との重ね合せ形態は、巻き型構造であってもよいし、折畳み構造であってもよい。ここでは、発電要素３２は、所定方向に長い方形板形状に形成されている。発電要素３２の周囲の４つの面のうちの一つの面（ここでは、発電要素３２の平面形態における一対の短辺の一方の辺）側の面は、第１面３２ａである。この第１面３２ａから、その長辺方向において間隔をあけて一対のリード３３が延出している。リード３３は、薄金属部材等によって形成されたタブ状部材であり、発電要素３２内では上記負極板又は正極板に接続されている。リード３３は、発電要素３２と同方向に偏平な状態で、発電要素３２から外方に延出されている。
【００３２】
フィルム容器３４は、上記発電要素３２を収容可能に構成されている。より具体的には、フィルム容器３４は、樹脂フィルム等によって構成されており、上記発電要素３２を挟込んだ状態で、その外周囲の少なくとも一部を接合することによって、フィルム容器３４内に発電要素３２が封入される。フィルム同士の接合は、熱溶着、超音波溶着、接着剤による接合等により行うことができる。
【００３３】
ここでは、上記発電要素３２の平面視の形状の２倍よりも大きな（ここでは、一回り大きな）フィルムを準備し、このフィルムを半分に折るようにして、間に発電要素３２を挟込み、発電要素３２の周囲３方において、フィルムの周縁部同士を重ね合せて接合することにより、フィルム容器３４が構成されている。
【００３４】
フィルムの周縁部の重ね合せ部分のうちフィルム容器３４のうち上記第１面に対向する重ね合せ部分３４ａは、一対のリード３３の前方に配設されており、前記一対のリード３３が前記重ね合せ部分３４ａを通って外部に引出されている（図４参照）。また、フィルム容器３４のうち前記第１面３２ａに対向し、かつ、前記重ね合せ部分３４ａの近傍に位置する部分３４ｂ（図４において前記重ね合せ部分３４ａ）は、一様に薄いフィルム形状をなしており、上記第１面３２ａに対して面接触可能に配設される。
【００３５】
また、フィルム容器３４のうち発電要素３２の前記第１面３２ａの反対側の第２面３２ｂには、フィルムの周縁部の重ね合せ部分は配設されず、当該フィルムの２つ折り部分３４ｃが対向配置される。この二つ折り部分３４ｃは、一様に薄いフィルム形状をなしており、発電要素３２の第２面３２ｂに対して面接触可能に配設される。二つ折り部分３４ｃには、折癖もつけられていないことが好ましい。
【００３６】
また、フィルム容器３４のうち上記重ね合せ部分３４ａの一主面（図４において上側の面）には、保護基板３６が取付けられている。保護基板３６は、接着剤、熱溶着等によってフィルム容器３４に取付けるとよい。上記一対のリード３３は、重ね合せ部分３４ａを通って外方に引出され、保護基板３６の保護回路にハンダ付け等によって電気的に接続されている。また、保護基板３６に電線等の引出電線３８が接続されている。引出電線３８は、発電要素３２の外方に引出され、基板１２に形成された回路にハンダ付け等によって電気的に接続されている。引出電線３８の一部が、基板１２等に対してシリコーン等によって固定されていてもよい。
【００３７】
基板１２は、上記発電要素３２の平面視形状よりも大きな広がりを持つ板状、ここでは、電池３０の平面視における短辺方向の幅よりも大きく、かつ、電池３０の平面視における長辺方向の長さよりも大きい長方形板状に形成されている。基板１２には、電池３０からの電源供給を受けて諸機能を実現する回路が組込まれている。例えば、基板１２には、記憶素子、通信回路等が組込まれており、電池３０からの電源供給を受けて、記憶素子に対する諸情報の読み書き、外部との通信を行い、上記に例示したような、認証のための動作を実行する。もっとも、本基板１２は必須ではない。例えば、本電池内蔵装置は、電池３０を収容する電池ケースとして構成されていてもよい。
【００３８】
ケース２０は、その内部に上記電池３０を収容可能な電池収容空間を有している。ここでは、ケース２０は、ケース本体２２と、蓋部２６とを備え、その内部に電池３０及び基板１２を収容可能に構成されている。
【００３９】
ケース本体２２は、一方側が開口する偏平な箱状に形成されている。ケース本体２２の内部空間の深さ寸法は、上記電池３０の厚み寸法と基板１２の厚み寸法との和と同じ又はこれによりも大きい（僅かに大きい）程度に設定されている。また、ケース本体２２の内部空間の広がりは、上記基板１２と同程度に設定されている。そして、上記電池３０と基板１２との積層体のほぼ全体を、本ケース本体２２内に収容できるようになっている。
【００４０】
また、蓋部２６は、ケース本体２２と同程度の広がりの板形状に形成されており、ケース本体２２内に電池３０及び基板１２を収容した状態で、ケース本体２２の上記開口を閉塞できるようになっている。ケース本体２２に対する基板１２及び蓋部２６の固定は、ネジ止、接着剤等で行うことができる。なお、蓋部２６は省略されていてもよい。この場合、例えば、基板１２によってケース本体２２の開口を閉塞するようにしてもよい。
【００４１】
平面視におけるケース２０の内部空間は、電池３０の平面視形状よりも大きく、また、電池３０自体は、ケース２０又は基板１２に対しては直接的に固定されていない。もっとも、電池３０がケース２０内を完全に自由に動けるとすると、電池３０がケース２０内の諸部品（基板１２の実装部品等）を破損させたり、電池３０の引出電線３８と基板１２との接続箇所が破断したりする恐れがある。
【００４２】
そこで、ここでは、次の構成によって、ケース２０内で電池３０を支持している。
【００４３】
すなわち、電池３０の第１面３２ａ側では、第１押し込み部材４０によって電池３０を支持し、電池３０の第２面３２ｂ側では第２押し込み部材５０によって電池３０を支持し、第１面３２ａ及び第２面３２ｂを結ぶ方向に対して直交する方向（電池３０の幅方向）においては側方支持部材６０によって電池３０を支持している。なお、電池３０の厚み方向においては、ケース２０の内面と基板１２との隙間が、電池３０の厚みと同程度又はこれにより僅かに大きい程度に設定されることによって、その位置決めが図られている。
【００４４】
第１押し込み部材４０は、弾性変形可能に構成された部材であり、発電要素３２の前記第１面３２ａを、フィルム容器を介して押し込み可能に支持すると共に、その支持を、その押し込み方向とは反対方向の力がフィルム容器３４に作用することを抑制した状態で行うように構成されている。
【００４５】
具体的には、第１押し込み部材４０は、ポリカーボネート等の樹脂によって形成された、撓み変形可能なプレート状部材である。ここでは、第１押し込み部材４０は、湾曲するように撓み変形することで弾性変形可能に構成されている。
【００４６】
より具体的には、第１押し込み部材４０は、細長い方形板状の押し込み本体部４２と、押し込み端部４３と、側方当接部４４とを備える、一枚のプレート状部材によって構成されている。
【００４７】
押し込み端部４３は、押し込み本体部４２の長手方向一端部から、当該押し込み本体部４２の一主面側に直角状に折れ曲るように延出する細長い片形状に形成されている。押し込み端部４３の突出寸法は、電池３０の一主面から上記重ね合せ部分３４ａの手前に至る程度の大きさに設定されている。
【００４８】
そして、電池３０の主面と押し込み本体部４２とを同一面状に揃えた状態で、押し込み端部４３の外向き面を、フィルム同士の重ね合せ部分３４ａを避けて、電池３０の第１面３２ａに対向配置できるようになっている。この状態では、押し込み端部４３と第１面３２ａとの間には、フィルム容器３４のうち前記第１面３２ａに対向する部分であって、前記重ね合せ部分３４ａを除いた部分３４ｂが配設される。このため、押し込み端部４３が前記部分３４ｂを介して第１面３２ａを押え込んでも、フィルム容器３４と発電要素３２との相対的位置関係は変動し難く、従って、リード３３のうち発電要素３２と重ね合せ部分３４ａとの間の部分に曲げ変形等は生じ難いようになっている。
【００４９】
なお、ここでは、電池３０の主面と押し込み本体部４２との連続部分に、フィルム状の接着シート４８が接着されている。これにより、電池３０と第１押し込み部材４０とが連結された状態に維持され、両者の位置関係、特に、電池３０の幅方向において、電池３０と第１押し込み部材４０とが位置ずれし難いようになっている。
【００５０】
押し込み本体部４２は、発電要素３２の第１面３２ａとケース本体２２のうち前記第１面３２ａに対向する受部２３との間に配設される長尺板形状に形成されている。ここでは、ケース本体２２の外周壁のうち上記第１面３２ａと対向する部分を受部２３としている。もっとも、ケース本体２２に突起部を形成し、これを、第１押し込み部材４０を受ける受部としてもよい。
【００５１】
押し込み本体部４２の長さ寸法は、電池３０のうち上記第２面３２ｂ側の部分を第２押し込み部材５０に当接させた状態で、電池３０のうち上記第１面３２ａと受部２３との距離と同じに設定されている。これにより、押し込み本体部４２の他端部が、前記受部２３に対して、上記押し込み端部４３による電池３０の押し込み力を受ける支持端部４２ａとして機能するように構成されている。より具体的には、押し込み本体部４２の他端部にある支持端部４２ａは、受部２３に対して当接した状態で配設され、この当接によって、押し込み端部４３による電池３０の押し込み方向とは反対方向の力が受止められるようになっている。
【００５２】
なお、ここでは、押し込み本体部４２は平板状であるが、その中間部が曲っていてもよい。例えば、押し込み本体部４２の長手方向中間部が、山折と谷折とを交互に繰返すように折れ曲っていてもよい。
【００５３】
なお、ここでは、通常状態において、押し込み本体部４２が湾曲変形せずに平板状になった状態で、支持端部４２ａが受部２３に当接し、かつ、押し込み端部４３が電池３０に当接するように設定されているが、押し込み本体部４２が湾曲変形した状態で、支持端部４２ａが受部２３に当接し、かつ、押し込み端部４３が電池３０に当接するように設定されていてもよい。
【００５４】
この第１押し込み部材４０は、押し込み端部４３による電池３０の押し込み方向とは逆方向の力がフィルム容器３４に作用することを抑制した状態で、電池３０の押し込みを行う。ここでは、次の構成によって、上記が実現されている。
【００５５】
すなわち、押し込み本体部４２の支持端部４２ａは、受部２３に対して第１面３２ａ側から離間可能な状態で当接する構成であるため、当該支持端部４２ａは、受部２３から離れる方向に移動することができる。従って、第１押し込み部材４０自体は、電池３０の押し込み方向と逆方向には拘束されていない。このため、電池３０が前記押し込み方向に移動したとしても、第１押し込み部材４０は電池３０と共に移動し、当該電池３０に対して前記押し込み方向とは逆方向の力を作用させ難い。これにより、フィルム容器３４に対する発電要素３２の相対的な移動が抑制されるようになっている。
【００５６】
もっとも、第１押し込み部材４０が、押し込み端部４３による電池３０の押し込み方向とは逆方向の力がフィルム容器３４に作用することを抑制する構成は、上記例に限らず、実現できる。例えば、支持端部４２ａが受部２３に固定されていたとしても、押し込み端部４３と電池３０とが分離可能な状態で、当接していれば、上記と同様に、押し込み方向とは逆方向の力がフィルム容器３４に作用することを抑制することができる。また、例えば、第１押し込み部材４０の両端がそれぞれの相手側に連結されていたとしても、電池３０の移動分を考慮して、第１押し込み部材４０の中間部が通常状態において十分に撓み変形していれば、電池３０の移動時に当該撓み変形分が直線状態に伸びるだけとなり、押し込み方向とは逆方向の力がフィルム容器３４に作用することを抑制することができる。
【００５７】
側方当接部４４は、押し込み本体部４２の両側部から外方に突出するように構成されている。一対の側方当接部４４の幅寸法は、ケース本体２２内の空間の幅寸法と同程度に設定されており、ケース本体２２の周壁部の内面に接している。これにより、第１押し込み部材４０がケース本体２２内において、電池３０は、第１面３２ａ及び第２面３２ｂ面側への移動を許容されつつ、その幅方向一定位置に安定した姿勢で支持されるようになっている。これにより、後述するように、第１押え込み部材４０及び第２押え込み支持部５０による衝撃吸収機能が有効に発揮される。この側方当接部４４は、省略されてもよい。
【００５８】
なお、上記第１押し込み部材としては、上記プレート状部材の他、コイルバネ、ゴム等のその他の弾性部材を用いてもよい。
【００５９】
第２押し込み部材５０は、弾性変形可能に構成された部材であり、上記発電要素３２の第１面と反対側の第２面３２ｂを、フィルム容器３４を介して押し込み可能に支持すると共に、その支持を、当該押し込み方向とは反対方向の力がフィルム容器３４に作用することを抑制した状態で行えるように構成されている。この点において、第２面が第１面であると捉えると、第２押し込み部材５０は、第１押し込み部材４０と同じであると捉えることができる。
【００６０】
また、フィルム容器３４のうち第２面３２ｂに対向する部分は、フィルム同士の重ね合せ部分ではなく、当該第２面３２ｂに面接触可能に配設される部分３４ｃである。従って、第２押し込み部材５０は、フィルム容器３４のうち第２面３２ｂと面接触可能な部分を介して第２面３２ｂを押え込むものであり、この点においても、第２面が第１面であると捉えると、第２押し込み部材５０は、第１押し込み部材４０と同じであると捉えることができる。
【００６１】
ここでは、第２押し込み部材５０は、ゴム部材によって構成されている。より具体的には、ケース本体２２のうち電池３０の発電要素３２の第２面３２ｂに対向する部分に第２押し込み部材５０が取付けられている。ここでは、第２押し込み部材５０は、細長い厚板状部材に形成されており、ケース本体２２の周壁部のうち受部２３と対向する部分２４に取付けられている。ケース本体２２に対する第２押し込み部材５０の取付は、接着剤等を用いて行うことができる。
【００６２】
なお、電池３０の第２面側の押え込み支持を、上記第１押え込み部材４０と同様構成によって行ってもよい。
【００６３】
そして、電池３０が、発電要素３２の第２面３２ｂを、フィルム容器３４のうち上記部分３４ｂを介して第２押し込み部材５０に対向させた状態で、配設されるようになっている。また、この状態で、電池３０のうち第１面３２ａ側には上記第１押し込み部材４０が配設されるため、電池３０は、通常状態においては、第１押し込み部材４０と第２押し込み部材５０との間で挟まれて、第１面３２ａと第２面３２ｂとを結ぶ方向において一定位置に支持されるようになる。
【００６４】
また、側方支持部材６０は、弾性変形可能に構成されると共に、前記電池３０に対して第１押し込み部材４０による押し込み方向に対して直交する両方向に突出し、かつ、電池３０の側方受部２５に当接可能に構成されている。
【００６５】
より具体的には、側方支持部材６０は、ポリカーボネート等の樹脂によって形成されたプレート状部材であり、湾曲するように撓み変形することで弾性変形可能に構成されている。
【００６６】
より具体的には、側方支持部材６０は、側方支持部材本体部６２と、一対の延出片６４とを備えており、一枚のプレート状部材によって構成されている。
【００６７】
側方支持部材本体部６２は、ケース本体２２の内部空間の幅と同程度の幅寸法の板状部材に形成されている。ここで、ケース本体２２の周壁部のうち電池３０を両側方から間隔をあけて挟む部分が側方受部２５とされている。側方支持部材本体部６２は、当該一対の側方受部２５間の寸法と同程度に設定されている。一対の延出片６４は、側方支持部材本体部６２の両側縁部から当該側方支持部材本体部６２の一主面側に直角状態で延出している。また、側方支持部材本体部６２の幅方向中間部は、電池３０の一主面に両面テープ、接着剤等によって固着されている。
【００６８】
そして、電池３０をケース本体２２内に収容した状態で、一対の延出片６４の外向き面が一対の側方受部２５の内向き面にそれぞれ当接し、これにより、電池３０が当該一対の側方受部間の中央位置に支持されるようになっている。
【００６９】
なお、側方支持部材６０と第１押し込み部材４０と、一枚のプレート状部材によって一体形成されていてもよい。
【００７０】
このように構成された電池内蔵装置１０において、電池３０を支持する動作について説明する。
【００７１】
まず、通常状態は次のようになっている。すなわち、電池３０の長手方向においては、電池３０は、第１押し込み部材４０と第２押し込み部材５０との間に挟み込まれることによって、一定位置に支持されている。この状態では、上記したように、第１押し込み部材４０の押し込み本体部４２は、平面状に延在する状態となっており、また、第２押し込み部材５０は圧縮変形せず、原形状を保っている。もっとも、通常状態において、押し込み本体部４２が湾曲するように撓み変形し、また、第２押し込み部材５０が圧縮変形していてもよい。
【００７２】
また、電池３０の幅方向においては、電池３０は、側方支持部材６０によって一定位置に支持されている。この除隊では、側方支持部材６０の側方支持部材本体部６２は、平面状に延在する状態となっている。
【００７３】
上記状態において、図５に示すように、電池内蔵装置１０の落下等により、電池内蔵装置１０の受部２３側に何らかの衝撃が加わったとする（矢符Ｆ１参照）。これにより、慣性力によって電池３０は受部２３側に移動しようとする（矢符Ａ参照）。すると、第１押し込み部材４０の押し込み本体部４２が湾曲するように撓み、第１押し込み部材４０は電池３０を前記矢符Ａ方向に移動させつつ、上記移動方向への衝撃を吸収する。この際、第１押し込み部材４０の押し込み端部４３は、発電要素３２の第１面３２ａを、フィルム容器３４を介して押え込んだ状態を維持しつつ、上記電池３０の移動を許容する。このため、フィルム容器３４に対して発電要素３２が相対移動し難い。これにより、リード３３の曲げ等が有効に抑制される。なお、第２押し込み部材５０側では、第２押し込み部材５０と電池３０とは離間した状態となる。このため、第２押し込み部材５０の存在は、フィルム容器３４に対する発電要素３２の相対移動を生じさせる要因とはならない。
【００７４】
しかも、押し込み端部４３は、フィルム容器３４のうち第１面３２ａと面接触可能な部分３４ｂを介して当該第１面を３２ａを押え込んでいるため、電池３０が上記のように移動しても、上記部分３４ｂと発電要素３２との位置関係はより確実に一定状態に保たれる。このため、リード３３の曲げ等がより有効に抑制される。
【００７５】
また、第１押し込み部材４０の押し込み本体部４２が湾曲するように撓んだ後、押し込み本体部４２は元の平板状に弾性復帰しようとする。これにより、電池３０は、上記とは逆方向、即ち、図６に示すように、受部２３とは逆側の部分２４に向けて移動しようとする（矢符Ｂ参照）。すると、第２押し込み部材５０が圧縮変形し、これにより、第２押し込み部材５０は、電池３０を矢符Ｂ方向に移動させつつ、反対側への移動方向の衝撃を吸収する。第２押し込み部材５０も、発電要素３２の第２面３２ｂを、フィルム容器３４を介して押え込んだ状態を維持しつつ、上記電池３０の移動を許容する。このため、フィルム容器３４に対して発電要素３２が相対移動し難い。これにより、リード３３の曲げ等が有効に抑制される。
【００７６】
なお、第１押し込み部材４０側では、第１押し込み部材４０と受部２３とが離間した状態となり、当該第１押し込み部材４０は電池３０と共に上記矢符Ｂ方向に移動する。このため、第１押し込み部材４０の存在は、フィルム容器３４に対する発電要素３２の相対移動を生じさせる要因とはならない。
【００７７】
そして、上記矢符Ａ方向及びＢ方向の移動が、移動距離を小さくしつつ繰返されることで、電池３０に加わる衝撃が吸収され、やがて、上記通常状態に戻る。
【００７８】
上記状態において、図５に示すように、電池内蔵装置１０の落下等により、電池内蔵装置１０の受部２３とは反対側の部分２４に衝撃が加わった場合には、上記とは、順番を変えて上記と同様に衝撃吸収がなされる。すなわち、上記図６に示すように、電池３０が矢符Ｂ方向に移動した後、図５に示すように、電池３０が矢符Ａ方向に移動し、これを繰返して、電池３０に加わる衝撃を吸収する。
【００７９】
また、通常状態において、図７に示すように、電池内蔵装置１０の落下等により、電池内蔵装置１０の一方の側方受部２５側に何らかの衝撃が加わったとする（矢符Ｆ２参照）。これにより、慣性力によって電池３０は一方の側方受部２５側に移動しようとする（矢符Ｃ参照）。すると、側方支持部材６０の側方支持部材本体部６２のうち電池３０の一側方に延出する部分が湾曲するように撓み、側方支持部材６０は電池３０を前記矢符Ｃ方向に移動させつつ、上記移動方向への衝撃を吸収する。そして、衝撃度合に応じて、上記が繰返され、やがて、電池３０は、ケース２０内の幅方向中央位置に戻る。
【００８０】
以上のように構成された電池内蔵装置１０によると、第１押し込み部材４０は、弾性変形可能に構成され、発電要素３２の第１面３２ａを、フィルム容器３４を介して押し込み可能に支持すると共に、その支持を、その押し込み方向とは反対方向の力がフィルム容器３４に作用することを抑制した状態で行うため、電池３０に対して第１面３２ａ側への力が作用すると、第１押し込み部材４０を弾性変形させつつ、発電要素３２はフィルム容器３４と共に第１面３２ａ側に移動する。また、電池３０に対して第１面３２ａ側とは反対側への力が作用した場合でも、第１押し込み部材４０はフィルム容器３４の位置を規制し難く、従って、発電要素３２はフィルム容器３４と共に移動し易い。このため、フィルム容器３４内で発電要素３２が動き難くなり、リード３３の曲げ等が抑制され、電池３０に組込まれたリード３３のダメージ対策の有無に拘らず、電池３０内でのリード３３のダメージを抑制できる。
【００８１】
しかも、第１押し込み部材４０は、フィルム容器３４のうち第１面３２ａと面接触可能な３４ｂ部分を介して第１面３２ａを押え込むため、電池３０に対して第１面３２ａ側への力が作用した場合に、より確実に発電要素３２とフィルム容器３４とが一緒に動き、フィルム容器３４内での発電要素３２の動きがより確実に抑制される。これにより、電池３０内でのリード３３のダメージをより確実に抑制できる。
【００８２】
また、電池３０は、発電要素３２の第１面３２ａから引出されて、フィルム容器３４のうち第１面３２ａに対向するフィルム同士の重ね合せ部分３４ａを通って外部に引出されたリード３３をさらに備え、第１押し込み部材４０は、フィルム容器３４のうち第１面３２ａと対向する部分であってフィルム同士の重ね合せ部分３４ａを除く部分３４ｂを介して第１面３２ａを押え込むため、リード３３の引出部分を近くを押え込む場合であっても、より確実に発電要素３２とフィルム容器３４とが一緒に動き、フィルム容器３４内での発電要素３２の動きがより確実に抑制される。これにより、リード３３のうち発電要素３２と重ね合せ部分３４ａとの間の部分に当該リード３３を曲げるような力が作用し難く、リード３３のダメージを有効に抑制できる。
【００８３】
また、第１押し込み部材４０は、発電要素３２の第１面３２ａを、フィルム容器３４を介して押え込む押し込み端部４３と、受部２３に、押え込む力を受けるように配設された支持端部４２ａとを含み、それらの間で撓み変形可能な部材であるため、簡易な構成で発電要素３２を押え込むことができる。
【００８４】
また、第１押し込み部材４０は、プレート状部材であるため、この点からも、簡易な構成で、安定して発電要素３２を押え込むことができる。
【００８５】
また、第２押し込み部材５０は、弾性変形可能に構成され、発電要素３２の第１面３２ａと反対側の第２面３２ｂを、フィルム容器３４を介して押し込み可能に支持すると共に、その支持を、その押し込み方向とは反対方向の力がフィルム容器３４に作用することを抑制した状態で行うため、電池３０に対して第２面３２ｂ側への力が作用すると、第２押し込み部材５０を弾性変形させつつ、電池３０はフィルム容器３４と共に第２面３２ｂ側に移動する。また、電池３０に対して第２面３２ｂ側とは反対側への力が作用した場合でも、第２押し込み部材５０はフィルム容器３４の位置を規制し難く、従って、電池３０はフィルム容器３４と共に移動し易い。このため、フィルム容器３４内で発電要素３２が動き難くなり、リード３３の曲げ等が抑制され、電池３０に組込まれたリード３３のダメージ対策の有無に拘らず、電池３０内でのリード３３のダメージを抑制できる。
【００８６】
しかも、第２押し込み部材５０は、フィルム容器３４のうち第２面３２ｂと面接触可能な部分３４ｃを介して第１面３２ａを押え込むため、電池３０に対して第１面３２ａ側への力が作用した場合に、より確実に発電要素３２とフィルム容器３４とが一緒に動き、フィルム容器３４内での発電要素３２の動きがより確実に抑制される。これにより、電池３０内でのリード３３のダメージをより確実に抑制できる。
【００８７】
また、第２押し込み部材５０は、ゴム部材であるため、第２面側で、より簡易な構成で電池３０を支持することができる。
【００８８】
さらに、側方支持部材６０は、弾性変形可能に構成されると共に、電池３０に対して第１押し込み部材４０による押し込み方向に対して直交する両側方に突出し、かつ、電池３０の側方受部２５に当接可能なように、電池３０に取付けられているため、このため、電池３０は、第１面３２ａ及び第２面３２ｂ側への移動を許容された状態で、安定した姿勢で支持される。これにより、上記第１押え込み部材４０及び第２押え込み支持部５０による衝撃吸収動作が安定して発揮される。また、この側方支持部材６０によって、電池の側方の衝撃を受止めることができる。
【００８９】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００９０】
１０  電池内蔵装置
２０  ケース
２３  受部
２５  側方受部
３０  電池
３２  発電要素
３２ａ  第１面
３２ｂ  第２面
３３  リード
３４  フィルム容器
３４ｂ、３４ｃ  面接触可能な部分
４０  第１押し込み部材
４２  押し込み本体部
４２ａ  支持端部
４３  押し込み端部
５０  第２押し込み部材
６０  側方支持部材
【図１】
2014154508.tif 000003
【図２】
2014154508.tif 000004
【図３】
2014154508.tif 000005
【図４】
2014154508.tif 000006
【図５】
2014154508.tif 000007
【図６】
2014154508.tif 000008
【図７】
2014154508.tif 000009